(57)【要約】  【課題】   便座に着座した使用者の便器内部に露呈する部位に暖か感を付与する。  【解決手段】  便器に載置され且つ所定温度に保温される便座と、前記便座に使用者が着座したことを検知する着座検知手段と、前記使用者の局部を洗浄する洗浄手段と、前記便器内部空間内に延在するノズルから温風を吐出する温風供給手段とを備え、前記温風の吐出は洗浄後の前記使用者の局部乾燥に供されるようにしてなる温水洗浄便座装置において、前記温風供給手段は、前記乾燥以外の所定の場合にも、前記温風を前記ノズルから吐出するようにした。【選択図】  図１
2006176991.tif 000002
【特許請求の範囲】
【請求項１】
便器に載置され且つ所定温度に保温される便座と、前記便座に使用者が着座したことを検知する着座検知手段と、前記使用者の局部を洗浄する洗浄手段と、前記便器内部空間内に延在するノズルから温風を吐出する温風供給手段とを備え、前記温風の吐出は洗浄後の前記使用者の局部乾燥に供されるようにしてなる温水洗浄便座装置において、前記温風供給手段は、前記局部乾燥以外の場合にも、前記温風を前記ノズルから吐出するようにしてなる、温水洗浄便座装置。
【請求項２】
前記温風供給手段から吐出される温風の温度は、前記局部乾燥時及び前記局部乾燥以外時、夫々、Ｔ１及びＴ２（＜Ｔ１）とした、請求項１記載の温水洗浄便座装置。
【請求項３】
前記局部乾燥以外の場合、前記温風供給手段から吐出される温風の風量は、前記局部乾燥時よりも少なくしている、請求項１又は２に記載の温水洗浄便座装置。
【請求項４】
前記局部乾燥以外の場合とは、前記使用者の前記便座への着座開始から所定時間経過した時までの間である、請求項１〜３のいずれかに記載の温水洗浄便座装置。
【請求項５】
前記洗浄手段による洗浄開始により、前記所定時間経過が停止されるようにした、請求項４記載の温水洗浄便座装置。
【請求項６】
前記局部乾燥以外の場合とは、前記使用者の前記便座からの脱座時から所定時間経過した時まで間である、請求項１〜３のいずれかに記載の温水洗浄便座装置。
【請求項７】
前記温風はアロマ芳香気を含有する、請求項１〜６のいずれかに記載の温水洗浄便座装置。
【請求項８】
前記温風は脱臭気を含有する、請求項１〜６のいずれかに記載の温水洗浄便座装置。
【発明の詳細な説明】
【技術分野】
【０００１】
本発明は、温水洗浄便座装置に関し、特に温水洗浄便座装置の温風供給手段に関する。
【背景技術】
【０００２】
一般に、寒い環境における温水洗浄便座の使用に際し、所謂ヒヤリ感を回避するために、従来から種々の方策が施されている。その一例が、特許文献１に示されるように、冬場などの寒いトイレに於いて、人体の露出部である臀部、腰に対し温風を吹き付け暖か感を提供する装置が提供されている。すなわち、この装置は、空気を送風する送風ファンと、該送風ファンにより送風された空気を加熱し温風とするためダクト内に配置されたヒータと、前記送風ファンの回転数と前記ヒータの発熱量を制御する制御部と、人体の有無または着座の有無を検知する人体検知手段とを備えている。しかして、この装置は人体の背面且つ便器上に配設され、該人体検知手段からの人体検知信号に基づいて、該ダクトから人体の露出部である腰や臀部に向かって送風を開始し、送風温度は送風開始から所定の時間経過後に低下させて体感温度を一定にするようになっている。
【特許文献１】特開２００３−１９００４３号公報
【発明の開示】
【発明が解決しようとする課題】
【０００３】
上記した装置は、確かに人体の露出部である臀部、腰に対し温風を吹き付け暖か感を提供しえたことは高く評価されるべきであるが、実用上、物足りなさを禁じえない。すなわち、吹き付けられた温風により暖か感が提供される部位は、便座より上側の臀部・腰部であって、便座の開口部を介して便器の内部に露呈する部位には温風は吹き付けらないので、この部位には暖か感が提供されない。しかして、便座の開口部を介して便器の内部に露呈する部位には、便器内部の貯め水からの冷却が放射されているので、人体の露出部の全てが暖か感を提供されるわけではない。
【０００４】
それ故に、本発明は、かような不具合のない温水洗浄便座装置を提供することを、その技術的課題とする。
【課題を解決するための手段】
【０００５】
上記の課題を解決するために講じた技術的手段は、請求項１に記載のように、
「便器に載置され且つ所定温度に保温される便座と、前記便座に使用者が着座したことを検知する着座検知手段と、前記使用者の局部を洗浄する洗浄手段と、前記便器内部空間内に延在するノズルから温風を吐出する温風供給手段とを備え、前記温風の吐出は洗浄後の前記使用者の局部乾燥に供されるようにしてなる温水洗浄便座装置において、前記温風供給手段は、前記局部乾燥以外の場合にも、前記温風を前記ノズルから吐出するようにしてなる、温水洗浄便座装置」
を構成したことである。
【０００６】
しかして、請求項１記載の温水洗浄便座装置においては、前記温風供給手段から吐出される温風の温度は、前記洗浄後の前記局部乾燥時及び前記局部乾燥以外の時、夫々、Ｔ１及びＴ２（＜Ｔ１）としたり（請求項２）、前記温風供給手段から吐出される温風の風量は、前記局部乾燥以外の時は、前記乾燥時よりも少なくしたりすることが出来る（請求項３）。しかして、請求項１記載の温水洗浄便座装置における前記局部乾燥以外の場合とは、例えば、前記使用者の前記便座への着座開始から所定時間経過した時までの間とすることが出来る（請求項４）。この場合、前記洗浄手段による洗浄開始により、前記所定時間経過が停止されるようにできる（請求項５）。また、請求項１記載の温水洗浄便座装置における前記局部乾燥以外の場合とは、例えば、前記使用者の前記便座からの脱座時から所定時間経過した時まで間とすることが出来る（請求項６）。更には、請求項１記載の温水洗浄便座装置においては、前記温風はアロマ芳香気を含有するものとしたり（請求項７）、脱臭気を含有するものとしたり（請求項８）することが出来る。
【発明の効果】
【０００７】
請求項１で定義される本発明に係る温水洗浄便座装置によれば、便座の開口部を介して便器の内部に露呈する使用者の部位に、ノズルから吐出される温風を供給することができ、便器内部の貯め水からの放射冷却を克服して暖か感を提供することが出来る。
【０００８】
請求項２で定義される本発明に係る温水洗浄便座装置によれば、前記温風供給手段から吐出される温風の温度は、前記洗浄後の前記局部を乾燥する時及び前記乾燥以外の所定時、夫々、Ｔ１及びＴ２（＜Ｔ１）とすることにより、安全性を高めることが出来る。
【０００９】
請求項３で定義される本発明に係る温水洗浄便座装置によれば、前記温風供給手段から吐出される温風の風量を、前記局部乾燥以外の場合、前記乾燥時よりも少なくしたりすることが出来るので、温風の供給範囲が広がり、温風吐出方向を調整することなく、便器の内部に露呈する使用者の部位に供給することが出来る。
【００１０】
請求項４で定義される本発明に係る温水洗浄便座装置によれば、便座の開口部を介して便器の内部に露呈する使用者の部位へのノズルから吐出される温風の供給を、前記使用者の前記便座への着座開始から所定時間経過した時までの間とすることが出来るので、着座直後の、便器の内部に露呈する使用者の部位への、最もシビアな便器内部の貯め水からの放射冷却を克服して暖か感を提供することが出来る。
【００１１】
請求項５で定義される本発明に係る温水洗浄便座装置によれば、便座の開口部を介して便器の内部に露呈する使用者の部位へのノズルから吐出される温風の供給を洗浄開始により停止できるので、必要以上の温風供給をさけることが出来る。
【００１２】
請求項６で定義される本発明に係る温水洗浄便座装置によれば、便座に使用者が着座しなくなった後、ノズルから吐出される温風の供給を便器内に行うので、この温風が便座の開口部を通過してトイレ空間に至り、部屋暖房となすことが出来る。
【００１３】
請求項７で定義される本発明に係る温水洗浄便座装置によれば、温風はアロマ芳香気を含有するので、トイレ使用中の快適性を享受できる。
【００１４】
請求項８で定義される本発明に係る温水洗浄便座装置によれば、温風は脱臭気を含有するので、トイレ使用中の脱臭を強化できる。
【発明を実施するための最良の形態】
【００１５】
以下、本発明の実施形態の一例について、図面に基づいて説明する。
【００１６】
温水洗浄便座装置はケーシング１を備える。このケーシング１は、洋風便器９の後部上面に設置される。しかして、このケーシング１には便座１０と便蓋１１とが上下方向回動自在に取り付けられている。
【００１７】
このケーシング１は、洋風便器９の側方に張り出すサイドボックス部１２が一体に設けられており、このサイドボックス部１２内に制御ユニット１３が設けられ、サイドボックス部１２の上面に、各種スイッチ、表示ランプ（図３参照）及び洗浄強さ調節ダイヤル１４が設置されている。
【００１８】
ケーシング１内には、温水タンク１５、水路切替弁１６、洗浄ノズル１７、１８等よりなる温水洗浄機構と、軸流ファン２、ヒータ３、ダクト４、吹出口５及び蓋６よりなる温風供給手段とが設置されている。また、ケーシング１内には、洋風便器９の内部の臭気を除去するための脱臭ユニット１９が設けられている。
【００１９】
温風供給手段の軸流ファン２は、その吸気口２ａが上向きとなるようにして設置されている。なお、この吸気口２ａは、鉛直面に対する角度θが２０°〜４５°とりわけ２５°〜４０°となるように傾斜しているのが好ましい。温風供給手段においては、吸気口２ａが上向きとなっているため、ケーシング１の後面壁１ａが軸流ファン２に近接していても、吸入圧損は増大せず、十分な吹出温風量を確保できる。
【００２０】
図４に示されるように、制御ユニット１３は、マイコンの形態をなしており、着座センサ５０、肛門洗浄スイッチ５１、ビデ洗浄スイッチ５２、ストップスイッチ５３が接続されている。着座センサ５０は便座１０に使用者が着座していると、オン信号がＣＰＵに送られる。制御ユニットは着座センサ５０からの信号がオンである場合、肛門洗浄スイッチ５１（ビデ洗浄スイッチ５２）がオンされると、周知のように、便器１内に伸長された洗浄ノズル１７（洗浄ノズル１８）の先端から温水タンク４内の温水を使用者に局部たる肛門（女性陰部）に噴射し、当該局部を洗浄せしめる。この洗浄は、ストップスイッチ５３がオンされると直ちに停止される。
【００２１】
使用者が便座１０に着座した場合、使用者の臀部・腰部の下部は、便座１０の開口部を介して便器９の内部に露呈するが、この部位には、便器９内部の貯め水９１からの冷却が放射されている。この冷たさを回避するために、温風供給手段から便器９内部に温風が供給される。すなわち、使用者が便座１０に着座して着座センサ５０からオン信号が制御ユニット１３に送られると、制御ユニット１３は、軸流ファン２を作動すると共にヒータ３に通電を行って、ノズル５から温風を吹出口５から吹き出す。この温風は、便座１０の開口部を介して便器９の内部に露呈する使用者の臀部・腰部の下部を暖める。尚、便座１０は、内蔵ヒータ１７により、所定温度に維持される。このヒータ１７への通電制御は、制御ユニット１３によりなされる。
【００２２】
しかして、この温風の供給は、肛門洗浄スイッチ５１（ビデ洗浄スイッチ５２）がオンされて肛門洗浄（女性陰部洗浄）が開始された時点で停止されるが、ストップスイッチ５３がオンされて肛門洗浄（女性陰部洗浄）が終了した時点で、温風供給が再開される。この再開された温風供給は、洗浄された後の水滴が付着した部位の乾燥がなされる。
【００２３】
温風供給手段のノズル５から吐出される温風の温度は、洗浄後の局部を乾燥する時及び前記乾燥以外の時は、夫々、Ｔ１及びＴ２（＜Ｔ１）と設定して、安全性が高められている。これは、乾燥時は当該部位には水滴が付着しているので温度が高くても問題がないが、そうでない場合は火傷の危惧もあるので、かように温度差を設定しているのである。温度調整は、制御ユニット１３がヒータ３への通電量を調整して行う。
【００２４】
また、温風供給手段のノズル５から吐出される温風の風量を、乾燥時よりも少なくしたりすることで、温風の供給範囲を広げ、温風吐出方向を調整することなく、便器の内部に露呈する使用者の部位に温風を供給することが出来る。風量の調整は、制御ユニット１３が軸流ファン２の回転数を調整して行う。
【００２５】
上記したように、便座１０の開口部を介して便器９の内部に露呈する使用者の部位へのノズル９から吐出される温風の供給を、使用者の便座１０への着座開始から始めたので、着座直後の、便器９の内部に露呈する使用者の部位への、最もシビアな便器９内部の貯め水９１からの放射冷却を克服して暖か感を提供することが出来る。かような温風供給は洗浄開始により停止できるので、必要以上の温風供給をさけることが出来る。しかし、温風停止を、使用者の用足し終了に伴う彼／彼女の便座１０からの起立（脱座）を起点とする所定時間経過後すれば、便座１に使用者が着座しなくなった後、ノズル５から吐出される温風の供給を便器９内に行うので、この温風が便座１０の開口部を通過してトイレ空間に至り、部屋暖房となすことが出来る。
【００２６】
尚、温風供給手段の軸流ファン２の上流側にアロマ芳香剤８８を配設することにより、軸流ファン２により吸い込まれる空気がアロマ芳香気を含有するので、アロマ芳香気を含有した温風がイレ使用中の快適性を惹起することになる。アロマ芳香剤８８に代えて脱臭剤を配設しても良い。この場合、排泄中の悪臭を抑制できる。
【００２７】
温風供給手段においては、吸気口２ａが上向きとなっているため、ケーシング１の後面壁１ａが軸流ファン２に近接していても、吸入圧損は増大せず、十分な吹出温風量を確保できる。
【図面の簡単な説明】
【００２８】
【図１】実施の形態例に係る温水洗浄便座装置の内部透視斜視図である。
【図２】図１の温水洗浄便座装置の温風供給手段を示す断面図である。
【図３】図１の温水洗浄便座装置の使用態様を示す図である。
【図４】温水洗浄便座装置の制御ユニットのブロック図である。
【符号の説明】
【００２９】
１ ケーシング
２ 軸流ファン
２ａ 吸気口
２ｂ 回転羽根
３ ヒータ
４ ダクト
５ 吹出口
６ 蓋
１３ 制御ユニット
１５ 温水タンク
１７、１８ 洗浄ノズル
【図１】
2006176991.tif 000003
【図２】
2006176991.tif 000004
【図３】
2006176991.tif 000005
【図４】
2006176991.tif 000006